(57)【要約】本発明は、許可検証方法、ならびに電子再生デバイス（１）のユーザ・インタフェース（１）を介して許可データを再生する、この方法に適したデバイスに関する。第１の再生デバイス（１）のユーザ・インタフェース（１１）を介する許可データの再生中、再生属性が変更される。第１の再生デバイス（１）のユーザ・インタフェース（１１）を介する許可データの再生は、第２の電子再生デバイス（２）のユーザ・インタフェース（２１）を介する基準データの再生と比較される。許可は、第１の再生デバイス（１）のユーザ・インタフェース（１１）を介する許可データの再生が、第２の再生デバイス（２）のユーザ・インタフェース（２１）を介する基準データの再生と一致し、再生属性の変更が、基本的に時間同期している場合、与えられる。許可データの再生中、および基準データの再生中の再生属性の動的な変更により、許可を偽造するためのイメージ・コンテンツまたはオーディオ・コンテンツの許可されていないコピーが、実際的に不可能にされる。さらに、許可データと基準データの同時の再生により、許可センタ（３）に行われる問い合わせが、不要にされる。
2007508625.tif 000002
【特許請求の範囲】
【請求項１】
第１の電子再生デバイス（１）のユーザ・インタフェース（１１）を使用した許可データの再生と、
前記第１の再生デバイス（１）の前記ユーザ・インタフェース（１１）を使用した前記許可データの前記再生と、第２の電子再生デバイス（２）のユーザ・インタフェース（２１）を使用した基準データの前記再生との比較とを含む許可検証方法であって、
前記第１の再生デバイス（１）の前記ユーザ・インタフェース（１１）を使用した前記許可データの前記再生中に、前記許可データの前記再生が動的に変化するようにする再生属性の変更と、
前記第１の再生デバイス（１）の前記ユーザ・インタフェース（１１）を使用した前記許可データの前記再生と、前記第２の再生デバイス（２）の前記ユーザ・インタフェース（２１）を使用した前記基準データの前記再生の間に一致が存在し、前記許可データの前記再生と、前記基準データの前記再生の間における前記一致は、少なくとも前記再生属性にあり、前記再生属性における変化は、時間同期されている場合の、前記許可の授与とを特徴とする方法。
【請求項２】
前記許可データは、前記第１の再生デバイス（１）のデータ・ストア（１３）の中に格納されること、
前記基準データは、前記第２の再生デバイス（２）のデータ・ストア（２３）の中に格納されること、および
再生属性の前記変更は、再生属性の前記変更に関する詳細に基づいて行われることを特徴とする請求項１に記載の許可検証方法。
【請求項３】
前記第１の再生デバイス（１）の前記ユーザ・インタフェース（１１）を使用した前記許可データの前記再生は、第１の同期信号に基づくこと、
前記第２の再生デバイス（２）の前記ユーザ・インタフェース（２１）を使用した前記基準データの前記再生は、第２の同期信号に基づくこと、
前記第１の同期信号は、前記第１の再生デバイス（１）において生成されること、および
前記第２の同期信号は、前記第２の再生デバイス（２）において生成されることを特徴とする請求項２に記載の許可検証方法。
【請求項４】
前記第１の再生デバイス（１）の前記ユーザ・インタフェース（１１）を使用した前記許可データの前記再生は、第１の同期信号に基づくこと、
前記第２の再生デバイス（２）の前記ユーザ・インタフェース（２１）を使用した前記基準データの前記再生は、第２の同期信号に基づくこと、および
前記第１の同期信号は、前記第１の再生デバイス（１）において前記第２の再生デバイス（２）から受信された信号に基づき、前記第１の再生デバイス（１）において生成されること、または
前記第２の同期信号は、前記第２の再生デバイス（２）において前記第１の再生デバイス（１）から受信された信号に基づき、前記第２の再生デバイス（２）において生成されることを特徴とする請求項２に記載の許可検証方法。
【請求項５】
前記第１の再生デバイス（１）の前記ユーザ・インタフェース（１１）を使用した前記許可データの前記再生は、第１の同期信号に基づくこと、
前記第２の再生デバイス（２）の前記ユーザ・インタフェース（２１）を使用した前記基準データの前記再生は、第２の同期信号に基づくこと、および
前記第１の同期信号および前記第２の同期信号は、コンピュータ・ベースの許可センタ（３）から受信された信号に基づき、それぞれ前記第１の再生デバイス（１）および前記第２の再生デバイス（２）において生成されることを特徴とする請求項２に記載の許可検証方法。
【請求項６】
前記許可データは、コンピュータ・ベースの許可センタ（３）のデータ・ストア（３４）の中に格納されること、および
前記許可データおよび前記基準データは、前記許可センタ（３）から、実質的に時間同期で、遠隔通信ネットワーク（８）を介して、それぞれ前記第１の再生デバイス（１）および前記第２の再生デバイス（２）に伝送されることを特徴とする請求項１に記載の許可検証方法。
【請求項７】
前記許可データの前記再生、および前記基準データの前記再生における再生属性の前記変更は、前記許可データおよび前記基準データそれぞれの中の関係のあるデータに基づいて行われることを特徴とする請求項１乃至６のいずれか１項に記載の許可検証方法。
【請求項８】
前記許可データの前記再生、および前記基準データの前記再生における再生属性の前記変更は、許可センタ（３）から、遠隔通信ネットワーク（８）を介して、前記第１の再生デバイス（１）および前記第２の再生デバイス（２）それぞれに伝送される、関係のあるデータに基づいて行われることを特徴とする請求項１乃至７のいずれか１項に記載の許可検証方法。
【請求項９】
前記許可データは、許可センタ（３）から、遠隔通信ネットワーク（８）を介して、前記第１の再生デバイス（１）に伝送されること、
前記許可データの前記再生における再生属性の前記変更は、再生制御センタ（３’）から、前記遠隔通信ネットワーク（８）を介して、前記第１の再生デバイス（１）に伝送される再生制御データに基づいて行われること、
前記基準データは、前記再生制御センタ（３’）から、前記遠隔通信ネットワーク（８）を介して、前記第２の再生デバイス（２）に伝送されること、および
前記基準データの前記再生における再生属性の前記変更は、前記再生制御センタ（３’）から、前記遠隔通信ネットワーク（８）を介して、前記第２の再生デバイス（２）に伝送されるデータに基づいて行われることを特徴とする請求項１乃至５のいずれか１項に記載の許可検証方法。
【請求項１０】
ディスプレイ（１１ａ、２１ａ）は、前記許可データおよび前記基準データが示されることが可能なユーザ・インタフェース（１１、２１）として使用されること、および
色の詳細、向きの詳細、ピクチャ・セクションの前記特定に関する詳細、または位置の詳細などの視覚的属性を含む再生属性が使用されることを特徴とする請求項１乃至９のいずれか１項に記載の許可検証方法。
【請求項１１】
サービス記述子を含む許可データおよび基準データが、使用されること、および
フォントについての詳細を含む再生属性が、使用されることを特徴とする請求項１乃至１０のいずれか１項に記載の許可検証方法。
【請求項１２】
ユーザＩＤデータを含む許可データが、使用されること、および
前記ユーザＩＤデータの前記再生が、前記再生属性によって決まることを特徴とする請求項１乃至１１のいずれか１項に記載の許可検証方法。
【請求項１３】
電気音響変換器（１１ｂ、２１ｂ）が、前記許可データおよび前記基準データを再生するのに使用されることが可能なユーザ・インタフェース（１１、２１）として使用されること、および
ボリューム、ピッチ、またはトーンの長さについての詳細などのオーディオ属性を含む再生属性が、使用されることを特徴とする請求項１乃至１２のいずれか１項に記載の許可検証方法。
【請求項１４】
許可データを再生するためのユーザ・インタフェース（１１）を有する第１の電子再生デバイス（１）と、
基準データを再生するためのユーザ・インタフェース（２１）を有する第２の電子再生デバイス（２）とを含む許可検証のためのシステムであって、
前記第１の再生デバイス（１）の前記ユーザ・インタフェース（１１）を使用して前記許可データを再生すると共に、前記許可データの前記再生中に、前記第２の再生デバイス（２）の前記ユーザ・インタフェース（２１）を使用した前記基準データの前記再生と前記基準データの前記再生中の再生属性の変更とをそれぞれ時間同期して、前記許可データの前記再生が動的に変化させるように再生属性を変更するための手段を特徴とするシステム。
【請求項１５】
前記第１の再生デバイス（１）は、前記許可データを格納するデータ・ストア（１３）を含むこと、
前記第２の再生デバイス（２）は、前記基準データを格納するデータ・ストア（２３）を含むこと、および
再生属性を変更するための前記手段は、前記再生属性の前記変更に関する詳細に基づいて、前記再生属性の前記変更を行うようにセットアップされることを特徴とする請求項１４に記載のシステム。
【請求項１６】
前記第１の再生デバイス（１）は、前記第１の再生デバイス（１）の前記ユーザ・インタフェース（１１）を使用して、第１の同期信号に基づいて前記許可データを再生するようにセットアップされること、
前記第２の再生デバイス（２）は、前記第２の再生デバイス（２）の前記ユーザ・インタフェース（２１）を使用して、第２の同期信号に基づいて前記基準データを再生するようにセットアップされること、
前記第１の再生デバイス（１）は、前記第１の同期信号を生成するようにセットアップされること、および
前記第２の再生デバイス（２）は、前記第２の同期信号を生成するようにセットアップされることを特徴とする請求項１５に記載のシステム。
【請求項１７】
前記第１の再生デバイス（１）は、前記第１の再生デバイス（１）の前記ユーザ・インタフェース（１１）を使用して、第１の同期信号に基づいて前記許可データを再生するようにセットアップされること、
前記第２の再生デバイス（２）は、前記第２の再生デバイス（２）の前記ユーザ・インタフェース（２１）を使用して、第２の同期信号に基づいて前記基準データを再生するようにセットアップされること、および
前記第１の再生デバイス（１）は、前記第２の再生デバイス（２）から信号を受信し、前記受信された信号に基づいて前記第１の同期信号を生成するようにセットアップされること、または
前記第２の再生デバイス（２）は、前記第１の再生デバイス（１）から信号を受信し、前記受信された信号に基づいて前記第２の同期信号を生成するようにセットアップされることを特徴とする請求項１５に記載のシステム。
【請求項１８】
前記第１の再生デバイス（１）は、前記第１の再生デバイス（１）の前記ユーザ・インタフェース（１１）を使用して、第１の同期信号に基づいて前記許可データを再生するようにセットアップされること、
前記第２の再生デバイス（２）は、前記第２の再生デバイス（２）の前記ユーザ・インタフェース（２１）を使用して、第２の同期信号に基づいて前記基準データを再生するようにセットアップされること、
前記第１の再生デバイス（１）および前記第２の再生デバイス（２）は、コンピュータ・ベースの許可センタ（３）から信号を受信するようにセットアップされること、および
前記第１の再生デバイス（１）および前記第２の再生デバイス（２）は、前記受信された信号に基づいて、前記第１の同期信号および前記第２の同期信号をそれぞれ生成するようにセットアップされることを特徴とする請求項１５に記載のシステム。
【請求項１９】
前記許可データを格納するデータ・ストア（３４）を有するコンピュータ・ベースの許可センタ（３）を含むこと、および
前記許可センタ（３）は、前記許可データおよび前記基準データを基本的に時間同期で、遠隔通信ネットワーク（８）を介して、前記第１の再生デバイス（１）および前記第２の再生デバイス（２）それぞれに伝送するようにセットアップされることを特徴とする請求項１４に記載のシステム。
【請求項２０】
前記許可データの前記再生中に前記再生属性を変更するための前記手段は、前記許可データの中の関係のあるデータに基づき、前記再生属性の前記変更を行うようにセットアップされることを特徴とする請求項１４乃至１９のいずれか１項に記載のシステム。
【請求項２１】
属性データを、遠隔通信ネットワーク（８）を介して、前記第１の再生デバイス（１）および前記第２の再生デバイス（２）に伝送するようにセットアップされるコンピュータ・ベースの許可センタ（３）を含むこと、および
前記許可データの前記再生中に前記再生属性を変更するための前記手段は、前記許可センタ（３）から受信された関係のある属性データに基づき、前記再生属性における前記変更を行うようにセットアップされることを特徴とする請求項１４乃至２０のいずれか１項に記載のシステム。
【請求項２２】
前記許可データを格納するデータ・ストア（３４）を有するコンピュータ・ベースの許可センタ（３）を含むこと、
前記許可センタ（３）は、前記許可データを、遠隔通信ネットワーク（８）を介して、前記第１の再生デバイス（１）に伝送するようにセットアップされること、
再生制御データを、前記遠隔通信ネットワーク（８）を介して、前記第１の再生デバイス（１）に伝送し、前記基準データを、前記遠隔通信ネットワーク（８）を介して、前記第２の再生デバイス（２）に伝送するようにセットアップされた、コンピュータ・ベースの再生制御センタ（３’）を含むこと、および
前記許可データの前記再生中に前記再生属性を変更するための前記手段は、前記再生制御データに基づき、前記再生属性における前記変更を行うようにセットアップされることを特徴とする請求項１４乃至１８のいずれか１項に記載のシステム。
【請求項２３】
前記ユーザ・インタフェース（１１、２１）はそれぞれ、前記許可データおよび前記基準データをそれぞれ示すためのディスプレイ（１１ａ、２１ａ）を含むこと、および
前記再生属性は、色の詳細、向きの詳細、ピクチャ・セクションの前記特定に関する詳細、位置の詳細、またはフォントについての詳細などの視覚的属性を含むことを特徴とする請求項１４乃至２２のいずれか１項に記載のシステム。
【請求項２４】
前記ユーザ・インタフェースはそれぞれ、前記許可データおよび前記基準データをそれぞれ再生するための電気音響変換器（１１ｂ、２１ｂ）を含むこと、および
前記再生属性は、ボリューム、ピッチ、またはトーンの長さについての詳細などのオーディオ属性を含むことを特徴とする請求項１４乃至２３のいずれか１項に記載のシステム。
【請求項２５】
前記第１の再生デバイス（１）は、移動通信端末装置の形態であることを特徴とする請求項１４乃至２４のいずれか１項に記載のシステム。
【請求項２６】
前記第１の再生デバイス（１）は、チップカードの形態であることを特徴とする請求項１４乃至２４のいずれか１項に記載のシステム。
【請求項２７】
許可検証方法において使用することができる第１の電子再生デバイス（１）内部の１つまたは複数のプロセッサを制御して、前記第１の再生デバイス（１）が、前記再生デバイス（１）のユーザ・インタフェース（１）を使用して許可データを再生し、前記許可データの前記再生が動的に変化するように、前記許可データの前記再生中に再生属性を変更するようにし、前記許可データは、再生され、前記再生属性は、前記許可データの前記再生中に、第２の電子再生デバイス（２）のユーザ・インタフェース（２１）を使用した基準データの再生と前記基準データの前記再生中における再生属性の変更とをそれぞれ時間同期して変更されるようにする目的のコンピュータ・プログラム・コード手段を含むコンピュータ可読媒体を含むコンピュータ・プログラム製品。
【請求項２８】
前記第１の再生デバイス（１）内部の前記プロセッサを制御して、前記許可データが、前記第１の再生デバイスのデータ・ストア（１３）の中に格納されるようにするコンピュータ・プログラム・コードをさらに含むこと、および
前記再生属性が、再生属性の前記変更に関する詳細に基づいて変更されることを特徴とする請求項２７に記載のコンピュータ・プログラム製品。
【請求項２９】
前記第１の再生デバイス（１）内部の前記プロセッサを制御して、前記第１の再生デバイス（１）が、前記第１の再生デバイス（１）の前記ユーザ・インタフェース（１１）を使用して、同期信号に基づいて前記許可データを再生するようにし、前記第１の再生デバイス（１）が、前記同期信号を生成するようにするコンピュータ・プログラム・コード手段をさらに含むことを特徴とする請求項２８に記載のコンピュータ・プログラム製品。
【請求項３０】
前記第１の再生デバイス（１）内部の前記プロセッサを制御して、前記第１の再生デバイス（１）が、前記第１の再生デバイス（１）の前記ユーザ・インタフェース（１１）を使用して、同期信号に基づいて前記許可データを再生するようにし、前記第１の再生デバイス（１）が、前記第１の再生デバイス（１）が前記第２の再生デバイス（２）から受信する信号に基づいて、前記同期信号を生成するようにするか、または前記第１の再生デバイス（１）が、前記第２の再生デバイス（２）において同期信号を生成する目的で、前記第２の再生デバイス（２）に信号を送信するようにするコンピュータ・プログラム・コード手段をさらに含むことを特徴とする請求項２８に記載のコンピュータ・プログラム製品。
【請求項３１】
前記第１の再生デバイス（１）内部の前記プロセッサを制御して、前記第１の再生デバイス（１）が、前記第１の再生デバイス（１）の前記ユーザ・インタフェース（１１）を使用して、同期信号に基づいて前記許可データを再生するようにし、前記第１の再生デバイス（１）が、遠隔通信ネットワーク（８）を介して、コンピュータ・ベースの許可センタ（３）から信号を受信するようにし、前記第１の再生デバイス（１）が、前記受信された信号に基づいて前記同期信号を生成するようにするコンピュータ・プログラム・コード手段をさらに含むことを特徴とする請求項２８に記載のコンピュータ・プログラム製品。
【請求項３２】
前記第１の再生デバイス（１）内部の前記プロセッサを制御して、前記第１の再生デバイス（１）が、前記許可データを、遠隔通信ネットワーク（８）を介してコンピュータ・ベースの許可センタ（３）から受信するようにするコンピュータ・プログラム・コード手段をさらに含むことを特徴とする請求項２７乃至３１のいずれか１項に記載のコンピュータ・プログラム製品。
【請求項３３】
前記第１の再生デバイス（１）内部の前記プロセッサを制御して、前記第１の再生デバイス（１）が、前記許可データを、遠隔通信ネットワーク（８）を介してコンピュータ・ベースの許可センタ（３）から受信するようにし、前記第１の再生デバイス（１）が、再生制御データを、前記遠隔通信ネットワーク（８）介してコンピュータ・ベースの再生制御センタ（３’）から受信するようにし、前記第１の再生デバイス（１）が、前記許可データの前記再生中に、前記再生制御データに基づいて、前記再生属性を変更するようにするコンピュータ・プログラム・コード手段をさらに含むことを特徴とする請求項２７乃至３１のいずれか１項に記載のコンピュータ・プログラム製品。
【発明の詳細な説明】
【技術分野】
【０００１】
本発明は、許可検証方法、およびこの方法に適したデバイスに関する。本発明は、詳細には、許可データが、電子再生デバイスのユーザ・インタフェースを使用して再生される許可検証方法、および許可データを再生するためのユーザ・インタフェースを有する電子再生デバイスを含む許可検証のためのシステム、および再生デバイス内部の１つまたは複数のプロセッサを制御するためのコンピュータ・プログラム・コード手段を有するコンピュータ・プログラム製品に関する。
【背景技術】
【０００２】
ディスプレイの形態のユーザ・インタフェースを使用して許可データを再生するために電子再生デバイスを使用することは、１回限りのペーパ・チケットが、作成され、配布される必要が全くないという利点を有する。許可データを再生するための電子再生デバイスは、デバイスが、複数回、使用されることが可能であり、様々なサービスを獲得するために、または様々なシステムもしくは建物にアクセスするために使用されることが可能であるという利点を有する。さらに、電子再生デバイスは、通信モジュールを備えることが可能であり、したがって、許可データが、遠隔通信ネットワークを介して再生デバイスに動的に読み込まれることが可能である。
【０００３】
ドイツ特許出願第１００  ３４  ２７５号が、アクセス許可が、移動無線ネットワークを介して移動デバイスに伝送され、そのデバイスにおいて、アクセス許可は、ディスプレイ上で示されて、バーコード読み取り装置によって（機械）読み取りされることが可能になる許可検証方法を説明している。
【０００４】
米国特許出願第２００３／００５４８０１号が、アクセス許可が、移動無線ネットワークを介して移動デバイスに伝送され、そのデバイスにおいて、アクセス許可は、ディスプレイ上で、ユーザ独立の機能によってグラフィックスの形態で示され、検証者の目によって閲覧されることが可能な許可検証方法を説明している。さらに、検証者は、米国特許出願第２００３／００５４８０１号に沿って、通信端末装置を使用して、クエリを許可センタに送信することにより、グラフィックスで示された許可データの真正性を確認することができる。これには、関係のあるユーザ、または関係のある移動デバイスに関連する許可データが、許可センタから検証者の通信端末装置に伝送されるように要求することが関わる。しかし、グラフィックスで示された許可データの許可されていないコピーを防止するため、米国特許出願第２００３／００５４８０１号は、さらなる機械可読の視覚的特徴も要する。
【０００５】
国際公開第０２／４８９２６号が、許可検証に、ユーザ固有のトランザクション・パラメータが、制御センタから要求されることが関わる許可検証方法を説明している。トランザクション・パラメータ、またはそれらのパラメータに依存するステータス・コードは、制御センタから検証者の端末装置に伝送される。国際公開第０２／４８９２６号に沿って、ステータス・コードは、ユーザが所有する端末装置に伝送され、検証者に視覚的に表示されて、ステータス・コードは、セキュリティを高めるために、制御センタによって定期的に更新される。検証者の端末装置は、同一のアルゴリズムに基づいてステータス・コードを生成し、したがって、両方のコードが、絶えず、同期して変化しているが、同一の値を有する。    
【特許文献１】ドイツ特許出願第１００  ３４  ２７５号
【特許文献２】米国特許出願第２００３／００５４８０１号
【特許文献３】国際公開第０２／４８９２６号
【発明の開示】
【発明が解決しようとする課題】
【０００６】
本発明の目的は、新たな許可検証方法を提案し、先行技術の欠点を有さない、この方法に適したデバイスも提案することである。詳細には、目的は、電子再生デバイスのユーザ・インタフェースを使用して、許可データが再生されることを、再生された許可データの真正性の確認が、許可センタへのクエリを要することなしに、また許可データが、許可されていないコピーを防止するために、機械可読の形態で再生される必要なしに、可能にする、新たな許可検証方法、およびこの方法に適したデバイスを提案することである。
【課題を解決するための手段】
【０００７】
本発明は、以上の目的を、特に、独立請求項の要素によって達する。さらなる有利な諸実施形態も、従属請求項、および説明で見ることができる。
許可データは、第１の電子再生デバイスのユーザ・インタフェースを使用して再生される。
【０００８】
本発明は、前述した目的を、特に、再生属性が、第１の再生デバイスのユーザ・インタフェースを使用した許可データの再生中に変更されることにより、達する。再生属性は、詳細には、人間の感覚器によって感知される属性、例えば、色、向き、ピクチャ・セクションの目的、位置、またはフォントなどの、表示可能なオブジェクトの視覚的属性、あるいはボリューム、ピッチ、またはトーンの長さなどの、聞こえるように再生可能なオブジェクトのオーディオ属性を含む。第１の再生デバイスのユーザ・インタフェースを使用した許可データの再生は、第２の電子再生デバイスのユーザ・インタフェースを使用した基準データの再生と比較される。許可は、第１の再生デバイスのユーザ・インタフェースを使用した許可データの再生と、第２の再生デバイスのユーザ・インタフェースを使用した基準データの再生の間に一致が存在しており、再生属性の変更が、基本的に時間同期されている場合、与えられる。許可データの再生と、基準データの再生の間の一致は、再生属性における少なくとも１つの一致を要する。第１の再生デバイスによる許可データの再生、および第２の再生デバイスによる基準データの再生は、例えば、検証者の感覚によって感知され、検証者は、用途に応じて、両方の再生デバイスが、一致する再生属性を使用し、一致する再生属性の時間同期された変更を使用して、一致しないコンテンツを有するデータを再生する場合、または両方の再生デバイスが、一致するコンテンツを同時に、同期された変更を使用して再生する場合、許可を与えることができる。つまり、許可は、例えば、２つの再生デバイスが、デバイスのディスプレイ上で、同一の視覚的属性を使用して、一致する視覚的コンテンツを同時に示し、かつ／またはデバイスの電気音響変換器上で、同一のオーディオ属性を使用して、一致する可聴のコンテンツを同時に再生する場合、与えられることが可能である。例として、許可データおよび基準データは、書かれた形態でサービス記述子を含み、関係のあるサービスに関する許可は、そのサービス記述子が、同一のフォントを使用して同時に、２つの再生デバイスによって再生された場合にだけ、与えられることが可能である。サービスが、例えば、鉄道による旅に関する場合、時間同期が変化する再生属性間の一致で、通常、サービス記述子として十分である。乗客が所有する第１の再生デバイス上で、サービス記述子は、例えば、正確な路線、クラス、および日付を含むのに対して、検証者の再生デバイス上のサービス記述子は、例えば、単に列車番号または路線番号だけを含む。例として、許可データは、その目的で提供され、基準データを使用して妥当な時点で再生される再生属性と一致する再生属性を使用して再生される場合だけに真正であるとして受け入れられるユーザＩＤデータを含む。例として、ユーザの写真が、再生された基準データを使用して、ディスプレイにおいてその写真に関して同時に表示される位置と一致する位置で、ディスプレイにおいて表示される場合、ユーザＩＤとして認められることが可能である。この例においても、時間同期で変化する再生属性間の一致、すなわち、ユーザＩＤデータが、ディスプレイにおいて表示される位置を有するだけで十分であり、コンテンツの一致は、全く要求されない。というのは、例として、システムは、検証者の再生デバイス上で表示するための利用可能な、またはアクセス可能なユーザＩＤデータを全く含まないからである。許可データの再生は、再生属性の動的な変更の結果、絶えず変化しているので、許可を偽造する目的で、ピクチャ・データまたはオーディオ・コンテンツの許可されていないコピーを行うことは、実際的に不可能である。さらに、許可センタへのクエリの必要性が全くない。というのは、許可データと基準データは、２つの再生デバイスによって同時に再生されるからである。許可データが、複数のユーザによって同時に使用されるサービス、システム、または建物に関する場合、許可データは、同様に、ユーザらの電子再生デバイス群のユーザ・インタフェースを使用して、同期で再生されることが可能であり、これは、検証者が、別個の第２の再生デバイスを有する必要がなく、代わりに、ユーザらの電子再生デバイスのユーザ・インタフェースを使用して、許可データの再生を互いに比較することができることを意味する。例として、これは、列車の乗客の許可が、乗客らの再生デバイス群が、互いに一致するコンテンツを同時に、同期された変更を使用して再生しているかどうかを検証者が検証することによって、確認されることを可能にする。
【０００９】
好ましくは、許可データは、第１の再生デバイスのデータ・ストアの中に格納され、基準データは、第２の再生デバイスのデータ・ストアの中に格納され、第１の再生デバイスのユーザ・インタフェースを使用した許可データの再生は、第１の同期信号に基づき、第２の再生デバイスのユーザ・インタフェースを使用した基準データの再生は、第２の同期信号に基づく。許可データおよび基準データを再生デバイスの中に格納することにより、許可が、許可データとユーザの間の関連付けが、許可センタにおいて格納され、管理される必要なしに、ユーザらの再生デバイス群に個々に伝送されることが可能になる。また、再生デバイスの中に許可データを格納することにより、複数回、かつ／またはより長期間にわたって有効である許可チケットまたは入場チケットが、作成されることも可能になる。
【００１０】
１つの変種の実施形態では、第１の同期信号が、第１の再生デバイスにおいて生成され、第２の同期信号が、第２の再生デバイスにおいて生成される。この変種の実施形態は、再生デバイス群の最大限の独立性を可能にする。許可データの再生と、基準データの再生は、再生デバイス群において互いに独立に生成されたシグナル信号に基づいて同期される。
【００１１】
１つの変種の実施形態では、第１の同期信号が、第２の再生デバイスから第１の再生デバイスにおいて受信された信号に基づいて、第１の再生デバイスにおいて生成され、あるいは第２の同期信号が、第１の再生デバイスから第２の再生デバイスにおいて受信された信号に基づいて、第２の再生デバイスにおいて逆に生成される。この変種の実施形態は、好ましくは、デバイス・インタフェースを介して、再生デバイス群のより緊密な結合をもたらす。第２に、再生デバイス間のより正確な同期が達せられることが可能である。というのは、許可データの再生と、基準データの再生の同期は、再生デバイス群の１つのデバイスにおいて生成される同期信号に基づくからである。
【００１２】
１つの変種の実施形態では、第１の同期信号および第２の同期信号は、それぞれ、第１の再生デバイスおよび第２の再生デバイスにおいて、コンピュータ・ベースの許可センタから受信された信号に基づいて生成される。この変種の実施形態は、再生デバイス群が、同期信号を生成するための時間特定手段も、同期信号を同期させるためのデバイス・インタフェースも有する必要がないという利点を有する。同期信号を同期させるための信号と一緒に、許可センタは、再生属性、および／または再生属性の変更に関する詳細も再生デバイス群に伝送することができる。
【００１３】
１つの変種の実施形態では、許可データが、コンピュータ・ベースの許可センタのデータ・ストアの中に格納され、許可データおよび基準データが、遠隔通信ネットワークを介して、基本的に時間同期で、許可センタから第１の再生デバイス、および第２の再生デバイスにそれぞれ伝送される。この変種の実施形態は、許可データが、「プッシュ・モード」で、再生デバイス群に動的に伝送されることを可能にし、これにより、許可なしに、許可データをコピーすることが、さらにより困難になる。
【００１４】
好ましくは、許可データの再生、および基準データの再生における再生属性の変更は、それぞれ、許可データの中、および基準データの中の関係のあるデータに基づいて行われる。つまり、再生属性は、許可データおよび基準データの再生中に、それぞれ、許可データおよび基準データの中に含まれる、規則データ、命令データ、アルゴリズム、および／または属性変更パラメータに基づいて変更される。これにより、許可センタとは独立に、再生属性の動的な変更が可能になる。
【００１５】
１つの変種の実施形態では、許可データの再生、および基準データの再生における再生属性の変更は、遠隔通信ネットワークを介して、許可センタから第１の再生デバイスおよび第２の再生デバイスにそれぞれ伝送される関係のあるデータに基づいて行われる。許可センタから再生デバイス群に再生属性を変更するための詳細を動的に伝送することにより、再生属性の変更を予測することが不可能にされる。
【００１６】
１つの変種の実施形態では、許可データは、遠隔通信ネットワークを介して、許可センタから第１の再生デバイスに伝送され、許可データの再生における再生属性の変更は、遠隔通信ネットワークを介して、再生制御センタから第１の再生デバイスに伝送される再生制御データに基づいて行われる。基準データは、遠隔通信ネットワークを介して、再生制御センタから第２の再生デバイスに伝送され、基準データの再生における再生属性の変更は、遠隔通信ネットワークを介して、再生制御センタから第２の再生デバイスに伝送されるデータに基づいて行われる。第１に、特に許可データのために検証されるべき情報のために、第２に、再生制御データのために別々のソースおよび伝送パスを使用することにより、検証されるべき情報（許可データ）を提供すること、または検証されるべき情報の再生を制御することを担う、様々な事業者およびサービス・プロバイダが、それぞれ、定義されることが可能になる。つまり、情報を検証するためのシステムおよび方法、特に、再生デバイス群の上で検証されるべき情報の再生を制御するサービス・プロバイダが、検証されるべき情報の見通しを全く有さず、検証されるべき情報（許可データ）を提供するサービス・プロバイダが、検証されるべき情報の再生の制御の見通しを全く有さない、許可検証方法、および許可検証のためのシステムを作り出すことが可能である。
【００１７】
１つの変種の実施形態では、第１の再生デバイスは、移動通信端末装置の形態である。移動通信端末装置は、許可データ、再生属性の変更に関する詳細、および／または同期信号を、移動無線ネットワークを介して、許可センタから動的に受信するのに特に適している。また、第１の再生デバイスは、例えば、ディスプレイを備えたチップカードの形態であることも可能である。
【００１８】
本発明の実施形態を、実施例を使用して以下に説明する。実施形態の実施例を、以下の添付の図によって示す。
【発明を実施するための最良の形態】
【００１９】
図１、図２、図３、図４、および図７において、符号３は、１つまたは複数のコンピュータを含み、遠隔通信ネットワーク８を介して再生デバイス１、２に接続されることが可能なコンピュータ・ベースの許可センタに関する。
【００２０】
遠隔通信ネットワーク８は、好ましくは、移動無線ネットワーク、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＵＭＴＳネットワーク（Ｕｎｉｖｅｒｓａｌ  Ｍｏｂｉｌｅ  Ｔｅｌｅｐｈｏｎｅ  Ｓｙｓｔｅｍ）、またはＷＬＡＮ（無線ローカル・エリア・ネットワーク）を含む。また、遠隔通信ネットワーク８は、陸線ネットワーク、例えば、インターネットも含むことが可能である。
【００２１】
再生デバイス１、２は、好ましくは、移動通信端末装置、例えば、移動無線電話機、ＰＤＡ（パーソナル・データ・アシスタント）コンピュータ、またはラップトップ・コンピュータの形態である。また、再生デバイス１、２は、固定通信端末装置の形態、またはチップカードの形態であることも可能であり、チップカードは、許可センタ３に接続するために、通信端末装置に、例えば、移動通信端末装置に接続される。
【００２２】
図１、図２、および図３が示すとおり、再生デバイス１は、許可データを格納するためのデータ・ストア１３を含み、再生デバイス２は、基準データを格納するためのデータ・ストア２３を含む。図１、図２、および図３が、破線の矢印３１によって概略で示すとおり、許可データは、許可センタ３から、遠隔通信ネットワーク８を介して、再生デバイス１に伝送され、デバイス１で、許可データは、データ・ストア１３の中に格納される。これに相応して、図１、図２、および図３が、破線の矢印３２によって概略で示すとおり、基準データが、許可センタ３から、遠隔通信ネットワーク８を介して、再生デバイス２に伝送され、デバイス２で、基準データは、データ・ストア２３の中に格納される。また、許可データおよび基準データは、遠隔通信ネットワーク８を使用することなしに、データ・ストア１３およびデータ・ストア２３の中にそれぞれ直接にプログラミングすることによって、例えば、販売地点において、または移動データ記憶媒体の製造業者で、格納されることも可能である。
【００２３】
図４は、許可データおよび基準データがそれぞれ、破線の矢印３５によって概略で示されるとおり、許可センタ３からプッシュ・モードで、同期で、遠隔通信ネットワーク８を介して、再生のために再生デバイス１および再生デバイス２にそれぞれ伝送される、代替の変種の実施形態を示す。
【００２４】
図７は、以降、サービス・プロバイダ分離の変種と呼ぶ、さらなる代替の変種の実施形態を示す。図７では、符号３’は、コンピュータ・ベースの再生制御センタに関し、符号３”は、コンピュータ・ベースの同期センタに関し、これらのセンタはそれぞれ、１つまたは複数のコンピュータを含み、遠隔通信ネットワーク８を介して再生デバイス１、２に接続されることが可能である。サービス・プロバイダ分離の変種では、許可データ（検証されるべき情報）の提供、および基準データの提供、さらに、オプションとして、同期信号の生成も、別々のサービス・プロバイダ、および別々のコンピュータ・ベースのユニットによってそれぞれ実行される。図７が、破線の矢印３７によって概略で示すとおり、許可データは、許可センタ３から、検証識別子と一緒に、遠隔通信ネットワーク８を介して再生デバイス１に伝送され、デバイス１で、許可データは、データ・ストア１３の中に格納される。これに対して、基準データは、破線の矢印３８によって概略で示すとおり、再生制御センタ３’から、遠隔通信ネットワーク８を介して再生デバイス２に伝送され、デバイス２において、基準データは、データ・ストア２３の中に格納される。
【００２５】
図１、図２、図３、および図４が、概略で示すとおり、再生デバイス１，２はそれぞれ、許可データおよび基準データをそれぞれ再生するために、ユーザ・インタフェース１１およびユーザ・インタフェース１２をそれぞれ含む。ユーザ・インタフェース１１、２１は、好ましくは、ピクチャ、グラフィックス、ビデオ、およびテキストなどの視覚オブジェクトを表示するためのディスプレイ１１ａ、２１ａを含む。また、ユーザ・インタフェース１１、２１は、音声、サウンドパターン、雑音、または音楽などのオーディオ・オブジェクトを再生するための電気音響変換器１１ｂ、２１ｂ（スピーカ、ヘッドホン）も含む。ユーザ・インタフェース１１およびユーザ・インタフェース２１はそれぞれ、ユーザの感覚器によって感知されることが可能な、許可データおよび基準データをそれぞれ再生するためのさらなるモジュール、例えば、振動モジュール、またはユーザによって触覚で感知されることが可能なコード（例えば、ブライユ点字の）を生成するためのアクチュエータ・モジュールも含むことが可能である。
【００２６】
再生デバイス１は、ユーザ・インタフェース１１を使用して、データ・ストア１３の中に格納された許可データを再生するため、またはユーザ・インタフェース１１を使用して、プッシュ・モードで許可センタ３から受信された許可データを再生するための再生モジュール１２をさらに含む。再生デバイス２は、ユーザ・インタフェース２１を使用して、データ・ストア２３の中に格納された基準データを再生するため、またはユーザ・インタフェース２１を使用して、プッシュ・モードで許可センタ３から受信された基準データを再生するための適切な再生モジュール２２を含む。許可データおよび基準データはそれぞれ、以下により詳細に説明するとおり、好ましくは、同期信号に基づいて、それぞれ、再生モジュール１２および再生モジュール２２によって再生される。
【００２７】
許可データおよび基準データは、デジタル化されたピクチャ、ビデオ、テキスト、数値情報、グラフィック情報、および／またはオーディオ情報などのデータ・オブジェクトを含む。さらに、許可データおよび基準データは、好ましくは、再生属性の変更に関する詳細を含む。また、再生属性の変更に関する詳細は、図２に示した変種の実施形態では、許可センタ３から、例えば、同期信号と一緒に、再生デバイス１、２に伝送されることも可能である。再生属性により、許可データの再生、および基準データの再生がそれぞれ決まる。再生属性は、詳細には、色、向き、ピクチャ・セクション識別、位置、またはフォントなどの、表示可能なオブジェクトの視覚的属性、あるいはボリューム、ピッチ、またはトーンの長さなどの、聞こえるように再生可能なオブジェクトのオーディオ属性を含む。再生属性の変更に関する詳細は、属性変更命令、属性変更規則、および／または属性変更アルゴリズムを含む。形態に依存して、再生属性の変更に関する詳細は、再生属性の値、および／またはオブジェクト識別子などの属性変更パラメータも含む。
【００２８】
図７に示した前述したサービス・プロバイダ分離の変種では、許可データは、再生属性の変更に関する詳細を全く含まず、代わりに、単に、検証されるべき情報、例えば、サービス記述子などの、サービスの特定に関する詳細、またはユーザの支払い能力などの、ユーザに関する個人情報についての詳細だけを含む。矢印３６によって概略で示すとおり、許可センタ３は、データ・レコードを、前述した検証識別子、ならびに所望のセキュリティ・レベルについての詳細とともに、例えば、遠隔通信ネットワーク８を介して、再生制御センタ３’に伝送する。再生制御センタ３’では、デジタル化されたピクチャ、ビデオ、テキスト、数値情報、グラフィック情報、および／またはオーディオ情報などの格納されたデータ・オブジェクトとともに、再生属性の変更に関する詳細、例えば、変化する再生属性が、受け取られたセキュリティ・レベルに基づいて特定される。特定されたデータ・オブジェクト、再生属性の変更に関する詳細、ならびに検証識別子が、破線の矢印３９によって概略で示すとおり、再生制御センタ３’から、再生制御データとして、遠隔通信ネットワーク８を介して、再生デバイス１に伝送される。基準データとともに、特定されたデータ・オブジェクト、ならびに再生属性の変更に関する詳細も、破線の矢印３８によって概略で示すとおり、再生制御センタ３’から、遠隔通信ネットワーク８を介して、再生デバイス２に伝送される。また、基準データは、例として、それぞれ再生制御センタ３’、および再生制御センタ３’の事業者のＩＤに関する詳細を含む、基準テキストも含む。再生デバイス１、２は、再生制御センタ３’によって、検証識別子に基づいてアドレス指定される。再生デバイス１、２に関するアドレス情報は、例えば、検証識別子の中に保持されるか、または検証識別子を使用して、登録データベースの中で要求されることが可能である。
【００２９】
同期信号の使用、またはプッシュ・モードにおける許可データおよび基準データの伝送により、再生モジュール１２による許可データの再生と、再生モジュール２２による基準データの再生の同期が達せられる。同期信号に基づく同期中、許可データおよび基準データは、再生属性の変更に関する関連する詳細に基づき、それぞれ、再生モジュール１２および再生モジュール２２によって再生される。形態に依存して、同期信号は、自動的に実行される属性変更アルゴリズムを開始させるか、または実施例を使用して後段で説明するとおり、再生属性の関連する値を使用して、属性変更命令または属性変更規則の実行を開始する。属性変更アルゴリズムの実行、または複数の属性変更命令もしくは属性変更規則の実行により、許可データの再生、および基準データの再生が動的に変更される。再生デバイス１のユーザ・インタフェース１１を使用した許可データの再生と、再生デバイス２のユーザ・インタフェース２１を使用した基準データの再生の間に一致が存在し、再生属性の変化も、基本的に時間同期している場合、再生デバイス１のユーザには、再生デバイス２を使用している検証者によって許可が与えられることが可能である。再生デバイス１のユーザ・インタフェース１１を使用した許可データの再生と、再生デバイス２のユーザ・インタフェース２１を使用した基準データの再生の間の一致は、再生属性における少なくとも１つの一致を要する。
【００３０】
同期信号は、周期的な信号であることも、非周期的な信号であることも可能である。同期信号は、例えば、それぞれ、許可データおよび基準データに依存する。
【００３１】
図１に示した変種の実施形態では、再生デバイス１、２はそれぞれ、許可データおよび基準データをそれぞれ再生するためのベースとして使用される同期信号を生成するための同期モジュール１４および同期モジュール２４をそれぞれ含む。同期モジュール１４、２４は、例えば、クロックジェネレータに基づき、かつ／または受信された時刻詳細に基づき、現在時刻を特定する、または特定の期間を特定する時間特定モジュールを含む。
【００３２】
図３に示した変種の実施形態では、再生デバイス１、２の片方だけが、同期信号を生成するための同期モジュール１４を含む。さらに、図３に示した再生デバイス１、２は、しかし、生成された同期信号を関係のある他方の再生デバイスに伝送するために（矢印２６）、デバイス・インタフェース１５およびデバイス・インタフェース２５、例えば、赤外線インタフェース、または「Ｂｌｕｅｔｏｏｔｈ」などの無線インタフェースをそれぞれ含む。
【００３３】
図２に示した変種の実施形態では、許可センタ３は、同期信号を生成して、再生デバイス１、２に伝送する（矢印３３）ための同期モジュール３０を含む。
【００３４】
図７に示した変種の実施形態では、同期モジュール３０は、同期センタ３”内に構成され、同期信号は、矢印３３’に沿って、同期センタ３”から再生デバイス１、２に伝送される。
【００３５】
例として、許可データおよび基準データはそれぞれ、図６に概略で示すとおり、複数のピクチャ・セグメントＳ１乃至Ｓ１６を含むピクチャ・オブジェクト６を含む。また、許可データおよび基準データはそれぞれ、再生属性の変更に関する詳細を有する、図６に示したデータ・レコード７も含む。データ・レコード７は、ピクチャ・オブジェクト６を識別するためのピクチャ・オブジェクト識別子７１を含み、ピクチャ・セグメントＳ１乃至Ｓ１６に関するピクチャ・セグメント識別子のランダムに生成されたシーケンス７２を含む。また、ピクチャ・セグメント識別子のシーケンスは、属性変更アルゴリズムによって動的に生成されることも可能である。図７に示したサービス・プロバイダ分離の変種では、ピクチャ・オブジェクト６およびデータ・レコード７は、再生制御データの中で再生制御センタ３’から再生デバイス１に伝送される。
【００３６】
同期信号によって同期されて、再生モジュール１２、２２が、ピクチャ・オブジェクト識別子７１に基づいてピクチャ・オブジェクト６を特定し、ピクチャ・セグメントＳ１乃至Ｓ１６から、シーケンス７２の中の第１のピクチャ・セグメント識別子によって特定されたセグメントを再生のために選択する。ピクチャ・セグメントは、再生モジュール１２、２２によって、再生モジュール１２、２２の中のソフトウェア・モジュールの一部である、または再生属性の変更に関する詳細の中に保持される、適切な属性変更アルゴリズム、属性変更命令、または属性変更規則を実行することによって特定される。関係のある属性変更アルゴリズム、または関係のある属性変更規則に準じて、再生モジュール１２、２２は、再生のための次のピクチャ・セグメントを選択し、このセグメントは、次のシグナル信号の際に、または事前定義された期間の後に、シーケンス７２の中の次のピクチャ・セグメント識別子によって特定される。ピクチャ・セグメント識別子は、しかし、シーケンス７２の中に、関連する時間詳細も有することが可能であり、時間詳細は、特定の時点で、または特定の期間の後に、ピクチャ・セグメントＳ１乃至Ｓ１６のいずれが、再生モジュール１２、２２によって再生のために選択されるかを決める。
【００３７】
また、許可データおよび基準データはそれぞれ、テキスト・データの形態で、システムまたは建物のサービス記述子も、例えば、サービスの名前も含む。サービス記述子は、再生属性の変更に関する関連する詳細を有し、これらの再生属性はそれぞれ、同期信号によって決められた時点で再生するための、サービス記述子の位置およびフォントを決める。図７に示したサービス・プロバイダ分離の変種では、基準データは、サービス記述子の代わりに、または検証されるべき情報の代わりに、前述した基準テキストを含む。
【００３８】
また、許可データおよび基準データはそれぞれ、オプションとして、ユーザＩＤフィールド、つまり、ユーザ識別子が表示されることが可能なディスプレイ・セグメントの特定に関する詳細も含む。ユーザＩＤフィールドは、再生属性の変更に関する関連する詳細を有し、これらの再生属性はそれぞれ、同期信号によって決められた時点でユーザ識別子を再生するためのユーザＩＤフィールドの位置を決める。
【００３９】
以下のセクションは、図５ａおよび図５ｂを参照して、許可検証に関する方法の流れを説明する。許可検証中、再生モジュール１２、２２が、許可データおよび基準データをそれぞれ再生するためにアクティブにされる。関係のあるサービスのため、または関係のあるシステム、もしくは関係のある建物へのアクセスのための、関係のある許可データ、および関係のある基準データのそれぞれの選択については、ここでより詳細に説明することはしない。また、例えば、回数券（ｍｕｌｔｉｔｒｉｐ  ｔｉｃｋｅｔ）の場合のように、許可データを部分的にキャンセルするオプションに関しても、ここで、より詳細な説明は提供しない。図５ａは、再生デバイス２のディスプレイ２１ａ上で、時刻Ｔ１、Ｔ２、およびＴ３に表示されるピクチャ・コンテンツを示す。図５ｂは、再生デバイス１のディスプレイ１１ａ上で、同一の時刻Ｔ１、Ｔ２、およびＴ３に表示されるピクチャ・コンテンツを示す。
【００４０】
図５ａにおいて、符号４は、再生デバイス２のディスプレイ２１ａ上で、時刻Ｔ１に表示されるピクチャ・コンテンツを表す。再生されるピクチャ・コンテンツ４は、データ・ストア２３の中に格納された、または遠隔通信ネットワーク８を介して、プッシュ・モードで、再生デバイス２において受信された基準データの再生に基づく。再生されるピクチャ・コンテンツ４は、第１に、基準データの中に保持される、または遠隔通信ネットワーク８を介して再生デバイス２において受信される、再生属性の変更に関する詳細によって、第２に、再生デバイス２において生成される、または遠隔通信ネットワーク８もしくはデバイス・インタフェース２５を介して、再生デバイス２において受信される同期信号によって特定される。ピクチャ・コンテンツ４は、例えば、図６に関連して前述したとおり、特定されたピクチャ・オブジェクト、例えば、花を含む。花のピクチャ・オブジェクトの他に、ピクチャ・コンテンツ４は、ユーザ識別子を再生するためのユーザＩＤフィールド４１を含み、ユーザＩＤフィールド４１の幾何学的位置は、時刻Ｔ１にアクティブである適切な再生属性によって決まる。さらに、ピクチャ・コンテンツ４は、幾何学的位置およびフォントが、時刻Ｔ１にアクティブである適切な再生属性によって決まるサービス記述子４２を含む。
【００４１】
図５ｂにおいて、符号５は、再生デバイス１のディスプレイ１１ａ上で、時刻Ｔ１に表示されるピクチャ・コンテンツを表す。再生されるピクチャ・コンテンツ５は、データ・ストア１３の中に格納された、または遠隔通信ネットワーク８を介して、プッシュ・モードで、再生デバイス１において受信された許可データの再生に基づく。再生されるピクチャ・コンテンツ５は、第１に、許可データの中に保持される、または遠隔通信ネットワーク８を介して再生デバイス１において受信される、再生属性の変更に関する詳細によって、第２に、再生デバイス１において生成される、または遠隔通信ネットワーク８もしくはデバイス・インタフェース１５を介して、再生デバイス１において受信される同期信号によって特定される。図７に示したサービス・プロバイダ分離の変種では、許可センタ３からの許可データ、および再生制御センタ３’からの再生制御データは、検証識別子に基づき、再生デバイス１において互いに関連付けられる。再生される許可データが、与えられることが可能な許可をもたらすものとされる場合、ピクチャ・コンテンツ５は、ピクチャ・コンテンツ４と同一のピクチャ・オブジェクト、すなわち、同一の花を含む。さらに、ピクチャ・コンテンツ５は、幾何学的位置が、ユーザＩＤフィールド４１の幾何学的位置と一致するユーザＩＤフィールド５１を含む必要がある。最後に、用途に応じて、ピクチャ・コンテンツ５は、サービス記述子４２と同一のサービス記述子５２、またはコンテンツが一致しないサービス記述子５２、および前述した基準テキストをそれぞれ含む必要があるが、サービス記述子５２の再生属性、すなわち、幾何学的位置およびフォントは、サービス記述子４２の再生属性、および基準テキストの再生属性とそれぞれ一致する必要がある。図５ａが示すとおり、ユーザＩＤフィールド５１は、ユーザ識別子、例えば、ユーザのピクチャ、またはユーザの名前を示す。ユーザ識別子は、再生デバイス１の中に永続的に格納されること、例えばまたは許可データの一部であること、またはＳＩＭカード（加入者ＩＤモジュール）の中に格納された加入者識別子に基づくことが可能である。
【００４２】
しかし、許可を与えるのに、検証者は、検証者の再生デバイス２のディスプレイ２１ａ上の基準データの再生を、例えば、１秒以上隔たったさらなる時刻Ｔ２および時刻Ｔ３の間に、ユーザが所有する再生デバイス１のディスプレイ１１ａ上の許可データの再生と比較する。図５ａおよび図５ｂから見て取ることができるとおり、時刻Ｔ２におけるピクチャ・コンテンツ４’および５’、ならびに時刻Ｔ３におけるピクチャ・コンテンツ４”および５”におけるそれぞれの再生属性は、変化する。ピクチャ・オブジェクト６のそれぞれの異なるピクチャ・セグメントが再生され、サービス記述子４２、およびサービス記述子５２、および基準テキストの位置およびフォントがそれぞれ、変化し、ユーザＩＤフィールド４１およびユーザＩＤフィールド５１の位置がそれぞれ、移動する。
【００４３】
この時点で、１つの変種の実施形態では、許可は、検証者が所有する再生デバイス２のディスプレイ２１ａ上における基準データの再生と、ユーザが所有する再生デバイス１のディスプレイ１１ａ上における許可データの再生が、わずかな時間のずれをともなってもたらされる場合、例えば、再生されたピクチャ・シーケンスが、完全に同期していない場合でも、与えられることが可能であることを述べておかなければならない。その目的で、例えば、ピクチャ・コンテンツが、部分的にだけ変化し、したがって、不完全な同期でも、シーケンス遷移中に変化しない、少なくともそれらのピクチャ・コンテンツを比較することが可能であると役立つ。
【００４４】
好ましくは、説明した方法は、サービス・ユーザおよび検証者の再生デバイス１、２が、サービスの場所において、例えば、公共交通手段上で、またはスポーツイベント、劇場内、または映画館におけるアクセス検証中に、比較されることが可能なケースにおいて、許可検証のため、または情報の一般的な検証のために使用される。説明した方法は、代替として、サービス・ユーザおよび検証者の再生デバイス１、２が、互いにリモートであるケースで、使用されることが可能である。このケースでは、サービス・ユーザが、通信リンクを使用して、許可データの再生を検証者に説明し、検証者が、その説明を基準データの再生と比較する。再生デバイス１、２が、互いにリモートである場合、聞こえるように再生され、通信リンク、例えば、電話リンクを介して、基準データの可聴の再生と比較するために、検証者に伝送される許可データも、特に適している。
【図面の簡単な説明】
【００４５】
【図１】ユーザ・インタフェースを備え、同期信号を生成するようにセットアップされる再生デバイス群を概略で示すブロック図である。
【図２】ユーザ・インタフェースを備え、同期信号を生成するようにセットアップされる許可センタに接続される再生デバイス群を概略で示すブロック図である。
【図３】再生デバイス群の一方が、同期信号を生成するようにセットアップされ、その信号を他方の再生デバイスに伝送する、ユーザ・インタフェースを備えた再生デバイス群を概略で示すブロック図である。
【図４】ユーザ・インタフェースを備え、再生デバイス群への許可されたデータの同期された伝送のためにセットアップされた許可センタに接続された再生デバイス群を概略で示すブロック図である。
【図５ａ】再生デバイスのユーザ・インタフェースを使用して再生された基準データが、様々な時点において示された時間軸を示す図である。
【図５ｂ】再生デバイスのユーザ・インタフェースを使用して再生された許可データが、様々な時点において示された時間軸を示す図である。
【図６】複数のピクチャ・セグメントを有するピクチャを示し、ピクチャ・オブジェクト識別子、およびピクチャ・セグメント識別子のシーケンスを有するデータ・レコードも示す図である。
【図７】ユーザ・インタフェースを備え、許可センタと再生制御センタの両方に接続された再生デバイス群を概略で示すブロック図である。
【図１】
2007508625.tif 000003
【図２】
2007508625.tif 000004
【図３】
2007508625.tif 000005
【図４】
2007508625.tif 000006
【図５ａ】
2007508625.tif 000007
【図５ｂ】
2007508625.tif 000008
【図６】
2007508625.tif 000009
【図７】
2007508625.tif 000010
【国際調査報告】
2007508625.tif 000011
2007508625.tif 000012
2007508625.tif 000013
2007508625.tif 000014
2007508625.tif 000015
2007508625.tif 000016